【手続補正書】
【提出日】平成25年3月8日(2013.3.8)
【手続補正１】
【補正対象書類名】明細書
【補正対象項目名】発明の名称
【補正方法】変更
【補正の内容】
【発明の名称】ステレオ撮影対応型の交換レンズ
【手続補正２】
【補正対象書類名】明細書
【補正対象項目名】０００１
【補正方法】変更
【補正の内容】
【０００１】
本発明は、立体画像を取り扱う技術に係り、特に、ステレオ撮影対応型の交換レンズに関する。
【手続補正３】
【補正対象書類名】明細書
【補正対象項目名】００１２
【補正方法】変更
【補正の内容】
【００１２】
そこで、本発明は、交換レンズの種類によることなく適正で高画質なステレオ撮像ができるステレオ撮影対応型の交換レンズを提供することを目的としている。
【手続補正４】
【補正対象書類名】明細書
【補正対象項目名】００１３
【補正方法】変更
【補正の内容】
【００１３】
上記の目的を達成するために、本発明の一態様によるステレオ撮影対応型の交換レンズは、光電変換素子と本体側取付部とを備える撮像装置本体に着脱可能に取り付け可能なステレオ撮影対応型の交換レンズであって、上記本体側取付部と着脱可能に結合するためのレンズ側取付部と、複数のモノキュラ光学系を備え、上記光電変換素子に多眼式立体光学画像としてのステレオ光学像を結像するステレオ光学系と、当該交換レンズに係る、非ステレオ撮影時とは異なるステレオ撮影時に固有のパラメータ情報であるステレオデータを記憶する記憶部と、上記ステレオデータを上記撮像装置本体へ送信するレンズ側通信部と、を具備したものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本発明のステレオ撮影対応型の交換レンズによれば、交換レンズの種類によることなく適正で高画質なステレオ撮像ができる。
【手続補正８】
【補正対象書類名】明細書
【補正対象項目名】０１３８
【補正方法】変更
【補正の内容】
【０１３８】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
［付記］
以上詳述したような本発明の上記実施形態によれば、以下のごとき構成を得ることができる。
（１）  レンズ側取付部と、複数のモノキュラ光学系を備え多眼式立体光学画像としてのステレオ光学像を結像するステレオ光学系と、非ステレオ撮影時とは異なるステレオ撮影時に固有のパラメータ情報であるステレオデータを記憶する記憶部と、上記ステレオデータを送信するレンズ側通信部と、を備えるステレオ撮影対応型の交換レンズを着脱可能に取り付け可能なステレオ撮影対応型の撮像装置本体であって、
上記レンズ側取付部と着脱可能に結合するための本体側取付部と、
上記ステレオ光学系により結像されたステレオ光学像を画像信号に変換する光電変換素子と、
上記レンズ側通信部から上記ステレオデータを受信する本体側通信部と、
上記本体側通信部により受信した上記ステレオデータに基づいて、当該撮像装置本体に係る機能制御を行う本体側制御部と、
を具備したことを特徴とするステレオ撮影対応型の撮像装置本体。
（２）  上記本体側制御部は、ステレオ情報要求指令を送信させるように上記本体側通信部をさらに制御するものであり、
上記交換レンズは、上記ステレオ情報要求指令に応じて、上記ステレオデータを上記撮像装置本体へ送信させるように上記レンズ側通信部を制御するレンズ側制御部をさらに備えるものであり、
上記本体側通信部は、上記ステレオ情報要求指令の応答として上記レンズ側通信部から送信された上記ステレオデータを受信するものであることを特徴とする付記（１）に記載のステレオ撮影対応型の撮像装置本体。
（３）  上記画像信号から、上記ステレオ光学系の上記複数のモノキュラ光学系に各対応する画像部分を切り出した後に、これらの画像部分を統合して一のステレオ画像データを生成する画像データ生成部と、
上記ステレオ画像データに、該ステレオ画像データに係る画像データ以外の情報であるステレオ付随データを付加して、１つの画像取り扱い単位である構造化ステレオ画像ファイルとして記録する記録部と、
をさらに具備し、
上記ステレオ付随データは、上記本体側通信部により受信した上記ステレオデータを含むものであることを特徴とする付記（１）に記載のステレオ撮影対応型の撮像装置本体。
（４）  上記ステレオデータは、上記ステレオ光学系を構成する各モノキュラ光学系が結像する各光学像の間の像間距離データを含み、
上記本体側制御部は、上記ステレオデータに基づく当該撮像装置本体に係る機能制御として、上記像間距離データに基づいて上記画像信号から上記ステレオ画像データを生成する際の画像の基線長方向の切り出し位置を制御するものであることを特徴とする付記（３）に記載のステレオ撮影対応型の撮像装置本体。
（５）  上記ステレオデータは、上記ステレオ光学系を構成する各モノキュラ光学系の光軸交差点から当該ステレオ光学系までの光軸交差点距離データを含み、
上記本体側制御部は、上記ステレオデータに基づく当該撮像装置本体に係る機能制御として、上記光軸交差点距離データに基づいて上記画像信号から上記ステレオ画像データを生成する際の画像の基線長方向の切り出し範囲を制御するものであることを特徴とする付記（３）に記載のステレオ撮影対応型の撮像装置本体。
（６）  上記ステレオデータは、上記ステレオ光学系を構成する各モノキュラ光学系が結像する各光学像の配置に係る光学像配置データを含み、
上記本体側制御部は、上記ステレオデータに基づく当該撮像装置本体に係る機能制御として、上記光学像配置データに基づいて上記画像信号から上記ステレオ画像データを生成する際の画像の配置を制御するものであることを特徴とする付記（３）に記載のステレオ撮影対応型の撮像装置本体。
（７）  上記ステレオデータは、上記ステレオ光学系を構成する各モノキュラ光学系が結像する各光学像の像面内回転方向データを含み、
上記本体側制御部は、上記ステレオデータに基づく当該撮像装置本体に係る機能制御として、上記像面内回転方向データに基づいて上記画像信号から上記ステレオ画像データを生成する際の画像の回転方向を制御するものであることを特徴とする付記（３）に記載のステレオ撮影対応型の撮像装置本体。
（８）  上記ステレオデータは、上記ステレオ光学系を構成する各モノキュラ光学系が結像する各光学像の倍率方向特性データを含み、
上記本体側制御部は、上記ステレオデータに基づく当該撮像装置本体に係る機能制御として、上記倍率方向特性データに基づいて上記画像信号から上記ステレオ画像データを生成する際の画像の縦横相対倍率を制御するものであることを特徴とする付記（３）に記載のステレオ撮影対応型の撮像装置本体。
（９）  上記ステレオデータは、上記ステレオ光学系の結像領域範囲に関する有効性データを含み、
上記本体側制御部は、上記ステレオデータに基づく当該撮像装置本体に係る機能制御として、上記有効性データに基づいて上記画像信号から上記ステレオ画像データを生成する際の画像の切り出し範囲を制御するものであることを特徴とする付記（３）に記載のステレオ撮影対応型の撮像装置本体。
（１０）  上記ステレオ光学系は、上記複数のモノキュラ光学系の内の少なくとも１つがズーム光学系および／または絞りを備えたものであり、
上記ステレオデータは、さらに、上記有効性データのズームおよび／または絞りに対する依存性を示すズーム・絞り依存性データを含み、
上記本体側制御部は、上記ステレオデータに基づく当該撮像装置本体に係る機能制御として、上記ズーム・絞り依存性データに基づいて上記画像信号から上記ステレオ画像データを生成する際の画像の切り出し範囲を所定の範囲内とするためのズームおよび／または絞り制御を行うものであることを特徴とする付記（９）に記載のステレオ撮影対応型の撮像装置本体。
（１１）  上記ステレオデータは、上記ステレオ光学系を構成する各モノキュラ光学系の内の何れが代表光学系となるかを示す指定データを含み、
上記本体側制御部は、上記ステレオデータに基づく当該撮像装置本体に係る機能制御として、上記指定データに基づいて上記画像信号から上記ステレオ画像データを生成する際の代表画像を決定するものであることを特徴とする付記（３）に記載のステレオ撮影対応型の撮像装置本体。
（１２）  上記ステレオデータは、上記ステレオ光学系を構成する各モノキュラ光学系の内の何れが代表光学系となるかを示す指定データを含み、
上記本体側制御部は、上記ステレオデータに基づく当該撮像装置本体に係る機能制御として、上記指定データに基づいて上記画像信号から通常の平面画像のデータを生成する際に使用するモノキュラ光学系を決定するものであることを特徴とする付記（３）に記載のステレオ撮影対応型の撮像装置本体。
（１３）  上記ステレオデータは、上記ステレオ光学系の適正撮影距離を示す適正撮影距離データを含み、
上記本体側制御部は、上記ステレオデータに基づく当該撮像装置本体に係る機能制御として、上記適正撮影距離データに基づいてステレオ撮像を行う際の適正撮影距離範囲を決定するものであることを特徴とする付記（３）に記載のステレオ撮影対応型の撮像装置本体。
（１４）  被写体までの距離を測定する被写体測距部をさらに具備し、
上記被写体測距部により測定された被写体距離が上記ステレオ撮像を行う際の適正撮影距離範囲内にない場合に、その旨の警告を行うかまたは当該撮影を禁止することを特徴とする付記（１３）に記載のステレオ撮影対応型の撮像装置本体。
（１５）  上記ステレオデータは、上記ステレオ光学系を構成する各モノキュラ光学系が結像する各光学像間の位置合わせを行うためのレジストレーションデータを含み、
上記本体側制御部は、上記ステレオデータに基づく当該撮像装置本体に係る機能制御として、上記レジストレーションデータに基づいて上記画像信号から上記ステレオ画像データを生成する際の画像の位置対応関係の補正を制御するものであることを特徴とする付記（３）に記載のステレオ撮影対応型の撮像装置本体。
（１６）  上記ステレオデータは、上記ステレオ光学系を構成する各モノキュラ光学系が結像する各光学像間の相対的なディストーションに係るステレオ撮影用ディストーション補正データを含み、
上記本体側制御部は、上記ステレオデータに基づく当該撮像装置本体に係る機能制御として、上記ステレオ撮影用ディストーション補正データに基づいて上記画像信号から上記ステレオ画像データを生成する際の画像の相対的なディストーションの補正を制御するものであることを特徴とする付記（３）に記載のステレオ撮影対応型の撮像装置本体。
（１７）  上記ステレオデータは、上記ステレオ光学系を構成する各モノキュラ光学系が結像する各光学像の相対的な輝度シェーディングに係るステレオ撮影用輝度シェーディング補正データを含み、
上記本体側制御部は、上記ステレオデータに基づく当該撮像装置本体に係る機能制御として、上記ステレオ撮影用輝度シェーディング補正データに基づいて上記画像信号から上記ステレオ画像データを生成する際の画像の相対的な輝度シェーディングの補正を制御するものであることを特徴とする付記（３）に記載のステレオ撮影対応型の撮像装置本体。
（１８）  上記ステレオデータは、上記ステレオ光学系を構成する各モノキュラ光学系が結像する各光学像の相対的なカラーシェーディングに係るステレオ撮影用カラーシェーディング補正データを含み、
上記本体側制御部は、上記ステレオデータに基づく当該撮像装置本体に係る機能制御として、上記ステレオ撮影用カラーシェーディング補正データに基づいて上記画像信号から上記ステレオ画像データを生成する際の画像の相対的なカラーシェーディングの補正を制御するものであることを特徴とする付記（３）に記載のステレオ撮影対応型の撮像装置本体。
（１９）  上記ステレオデータは、上記ステレオ光学系を構成する各モノキュラ光学系が結像する各光学像の倍率色収差に係るステレオ撮影用倍率色収差補正データを含み、
上記本体側制御部は、上記ステレオデータに基づく当該撮像装置本体に係る機能制御として、上記ステレオ撮影用倍率色収差補正データに基づいて上記画像信号から上記ステレオ画像データを生成する際の画像の相対的色位置ずれの補正を制御するものであることを特徴とする付記（３）に記載のステレオ撮影対応型の撮像装置本体。
（２０）  上記ステレオデータは、上記ステレオ光学系を構成する各モノキュラ光学系が結像する各光学像の相対倍率に係るステレオ撮影用倍率補正データを含み、
上記本体側制御部は、上記ステレオデータに基づく当該撮像装置本体に係る機能制御として、上記ステレオ撮影用倍率補正データに基づいて上記画像信号から上記ステレオ画像データを生成する際の画像の相対的倍率の補正を制御するものであることを特徴とする付記（３）に記載のステレオ撮影対応型の撮像装置本体。
（２１）  上記ステレオデータは、上記ステレオ光学系を構成する各モノキュラ光学系が結像する各光学像の相対的な光量に係るステレオ撮影用光量補正データを含み、
上記本体側制御部は、上記ステレオデータに基づく当該撮像装置本体に係る機能制御として、上記ステレオ撮影用光量補正データに基づいて上記画像信号から上記ステレオ画像データを生成する際の画像の相対的輝度の補正を制御するものであることを特徴とする付記（３）に記載のステレオ撮影対応型の撮像装置本体。
（２２）  上記ステレオデータは、上記ステレオ光学系を構成する各モノキュラ光学系の相対的な分光透過率に係るステレオ撮影用分光透過率補正データを含み、
上記本体側制御部は、上記ステレオデータに基づく当該撮像装置本体に係る機能制御として、上記ステレオ撮影用分光透過率補正データに基づいて上記画像信号から上記ステレオ画像データを生成する際の画像の相対的カラーバランスの補正を制御するものであることを特徴とする付記（３）に記載のステレオ撮影対応型の撮像装置本体。
（２３）  上記ステレオ光学系は、上記複数のモノキュラ光学系の内の２つ以上が光学系駆動機構を含み、
上記ステレオデータは、上記ステレオ光学系を構成する各モノキュラ光学系の光学系駆動機構の相対的な動作速度に係るステレオ撮影用動作速度補正データを含み、
上記本体側制御部は、上記ステレオ撮影用動作速度補正データに基づいて上記各モノキュラ光学系の光学系駆動機構が連動して動作し得るように制御するものであることを特徴とする付記（３）に記載のステレオ撮影対応型の撮像装置本体。
（２４）  上記ステレオデータは、上記ステレオ光学系を構成する光学系のタイプを示す光学系タイプデータを含み、
上記本体側制御部は、上記ステレオデータに基づく当該撮像装置本体に係る機能制御として、上記光学系タイプデータに基づいてカメラの動作モードの切り替えを制御するものであることを特徴とする付記（３）に記載のステレオ撮影対応型の撮像装置本体。
（２５）  レンズ側取付部と、複数のモノキュラ光学系を備え多眼式立体光学画像としてのステレオ光学像を結像するステレオ光学系と、非ステレオ撮影時とは異なるステレオ撮影時に固有のパラメータ情報であるステレオデータを記憶する記憶部と、上記ステレオデータを送信するレンズ側通信部と、を備える交換レンズと、
上記レンズ側取付部と着脱可能に結合するための本体側取付部と、上記ステレオ光学系により結像されたステレオ光学像を画像信号に変換する光電変換素子と、上記レンズ側通信部から上記ステレオデータを受信する本体側通信部と、上記本体側通信部により受信した上記ステレオデータに基づいて撮像装置本体に係る機能制御を行う本体側制御部と、を備える撮像装置本体と、
を具備したことを特徴とするステレオ撮影対応型の撮像装置。
付記の構成は、交換レンズの種類によることなく適正で高画質なステレオ撮像ができるステレオ撮影対応型の撮像装置本体および撮像装置を提供することを目的としている。
付記のステレオ撮影対応型の撮像装置本体および撮像装置によれば、交換レンズの種類によることなく適正で高画質なステレオ撮像ができる。
【手続補正９】
【補正対象書類名】特許請求の範囲
【補正対象項目名】全文
【補正方法】変更
【補正の内容】
【特許請求の範囲】
【請求項１】
光電変換素子と本体側取付部とを備える撮像装置本体に着脱可能に取り付け可能なステレオ撮影対応型の交換レンズであって、
上記本体側取付部と着脱可能に結合するためのレンズ側取付部と、
複数のモノキュラ光学系を備え、上記光電変換素子に多眼式立体光学画像としてのステレオ光学像を結像するステレオ光学系と、
当該交換レンズに係る、非ステレオ撮影時とは異なるステレオ撮影時に固有のパラメータ情報であるステレオデータを記憶する記憶部と、
上記ステレオデータを上記撮像装置本体へ送信するレンズ側通信部と、
を具備したことを特徴とするステレオ撮影対応型の交換レンズ。
【請求項２】
上記撮像装置本体からのステレオ情報要求指令に応じて、上記ステレオデータを上記撮像装置本体へ送信させるように上記レンズ側通信部を制御するレンズ側制御部をさらに具備したことを特徴とする請求項１に記載のステレオ撮影対応型の交換レンズ。
【請求項３】
上記ステレオデータは、上記ステレオ光学系を構成する各モノキュラ光学系が結像する各光学像の間の像間距離データを含むことを特徴とする請求項１に記載のステレオ撮影対応型の交換レンズ。
【請求項４】
上記ステレオデータは、上記ステレオ光学系を構成する各モノキュラ光学系の光軸交差点から当該ステレオ光学系までの光軸交差点距離データを含むことを特徴とする請求項１に記載のステレオ撮影対応型の交換レンズ。
【請求項５】
上記ステレオデータは、上記ステレオ光学系を構成する各モノキュラ光学系が結像する各光学像の配置に係る光学像配置データを含むことを特徴とする請求項１に記載のステレオ撮影対応型の交換レンズ。
【請求項６】
上記ステレオデータは、上記ステレオ光学系を構成する各モノキュラ光学系が結像する各光学像の像面内回転方向データを含むことを特徴とする請求項１に記載のステレオ撮影対応型の交換レンズ。
【請求項７】
上記ステレオデータは、上記ステレオ光学系を構成する各モノキュラ光学系が結像する各光学像の倍率方向特性データを含むことを特徴とする請求項１に記載のステレオ撮影対応型の交換レンズ。
【請求項８】
上記ステレオデータは、上記ステレオ光学系の結像領域範囲に関する有効性データを含むことを特徴とする請求項１に記載のステレオ撮影対応型の交換レンズ。
【請求項９】
上記ステレオ光学系は、上記複数のモノキュラ光学系の内の少なくとも１つがズーム光学系および／または絞りを備えたものであり、
上記ステレオデータは、さらに、上記有効性データのズームおよび／または絞りに対する依存性を示すズーム・絞り依存性データを含むことを特徴とする請求項８に記載のステレオ撮影対応型の交換レンズ。
【請求項１０】
上記ステレオデータは、上記ステレオ光学系を構成する各モノキュラ光学系の内の何れが代表光学系となるかを示す指定データを含むことを特徴とする請求項１に記載のステレオ撮影対応型の交換レンズ。
【請求項１１】
上記ステレオデータは、上記ステレオ光学系の適正撮影距離を示す適正撮影距離データを含むことを特徴とする請求項１に記載のステレオ撮影対応型の交換レンズ。
【請求項１２】
上記ステレオデータは、上記ステレオ光学系を構成する各モノキュラ光学系が結像する各光学像間の位置合わせを行うためのレジストレーションデータを含むことを特徴とする請求項１に記載のステレオ撮影対応型の交換レンズ。
【請求項１３】
上記ステレオデータは、上記ステレオ光学系を構成する各モノキュラ光学系が結像する各光学像間の相対的なディストーションに係るステレオ撮影用ディストーション補正データを含むことを特徴とする請求項１に記載のステレオ撮影対応型の交換レンズ。
【請求項１４】
上記ステレオデータは、上記ステレオ光学系を構成する各モノキュラ光学系が結像する各光学像の相対的な輝度シェーディングに係るステレオ撮影用輝度シェーディング補正データを含むことを特徴とする請求項１に記載のステレオ撮影対応型の交換レンズ。
【請求項１５】
上記ステレオデータは、上記ステレオ光学系を構成する各モノキュラ光学系が結像する各光学像の相対的なカラーシェーディングに係るステレオ撮影用カラーシェーディング補正データを含むことを特徴とする請求項１に記載のステレオ撮影対応型の交換レンズ。
【請求項１６】
上記ステレオデータは、上記ステレオ光学系を構成する各モノキュラ光学系が結像する各光学像の倍率色収差に係るステレオ撮影用倍率色収差補正データを含むことを特徴とする請求項１に記載のステレオ撮影対応型の交換レンズ。
【請求項１７】
上記ステレオデータは、上記ステレオ光学系を構成する各モノキュラ光学系が結像する各光学像の相対倍率に係るステレオ撮影用倍率補正データを含むことを特徴とする請求項１に記載のステレオ撮影対応型の交換レンズ。
【請求項１８】
上記ステレオデータは、上記ステレオ光学系を構成する各モノキュラ光学系が結像する各光学像の相対的な光量に係るステレオ撮影用光量補正データを含むことを特徴とする請求項１に記載のステレオ撮影対応型の交換レンズ。
【請求項１９】
上記ステレオデータは、上記ステレオ光学系を構成する各モノキュラ光学系の相対的な分光透過率に係るステレオ撮影用分光透過率補正データを含むことを特徴とする請求項１に記載のステレオ撮影対応型の交換レンズ。
【請求項２０】
上記ステレオ光学系は、上記複数のモノキュラ光学系の内の２つ以上が光学系駆動機構を含み、
上記ステレオデータは、上記ステレオ光学系を構成する各モノキュラ光学系の光学系駆動機構の相対的な動作速度に係るステレオ撮影用動作速度補正データを含むことを特徴とする請求項１に記載のステレオ撮影対応型の交換レンズ。
【請求項２１】
上記ステレオデータは、上記ステレオ光学系を構成する光学系のタイプを示す光学系タイプデータを含むことを特徴とする請求項１に記載のステレオ撮影対応型の交換レンズ。